(57)【要約】【課題】カラースキャンバックライト駆動を行うバックライトユニットの構成において、混色問題を低減できる新規な構成を提案する。【解決手段】底面に垂直な方向に高さを有し且つ前記底面に平行な一方向に延伸した柱状であって互いに並列に設けられた（ｊ＋１）（ｊは自然数）個の反射壁と、（ｊ＋１）個の反射壁のうち第ｒ（ｒは１乃至ｊの自然数）の反射壁と第（ｒ＋１）の反射壁に挟まれた領域に設けられた柱状の第ｒの透明層と、を含む導光板と、第ｒの透明層に光を入射させるように導光板の側面に設けられた第ｒの光源と、を有するバックライトユニットとする。【選択図】図１
2012119311.tif 000002
【特許請求の範囲】
【請求項１】
底面に垂直な方向に高さを有し且つ前記底面に平行な一方向に延伸した柱状であって互いに並列に設けられた（ｊ＋１）（ｊは自然数）個の反射壁と、前記（ｊ＋１）個の反射壁のうち第ｒ（ｒは１乃至ｊの自然数）の反射壁と第（ｒ＋１）の反射壁に挟まれた領域に設けられた柱状の第ｒの透明層と、を含む導光板と、
前記第ｒの透明層に光を入射させるように前記導光板の側面に設けられた第ｒの光源と、
を有することを特徴とするバックライトユニット。
【請求項２】
請求項１において、
前記導光板は、底面に設けられた反射層を有することを特徴とするバックライトユニット。
【請求項３】
バックライトユニットと、前記バックライトユニットから光が照射される表示パネルとを有し、
前記バックライトユニットは、底面に垂直な方向に高さを有し且つ前記底面に平行な一方向に延伸した柱状であって互いに並列に設けられた（ｊ＋１）（ｊは自然数）個の反射壁と、前記（ｊ＋１）個の反射壁のうち第ｒ（ｒは１乃至ｊの自然数）の反射壁と第（ｒ＋１）の反射壁に挟まれた領域に設けられた柱状の第ｒの透明層と、を含む導光板と、
前記第ｒの透明層に光を入射させるように前記導光板の側面に設けられた第ｒの光源と、
を有し、
前記表示パネルは、マトリクス状に画素が配置された表示領域を有し、
前記表示領域は前記画素の一列を分割するように複数の領域に分割され、前記複数の領域それぞれのいずれかの行に同時に画像信号が書き込まれ、
前記表示領域の行方向と柱が延びた方向とが並列になるように、且つ複数ずつ対応するように、前記複数の領域それぞれに対して前記バックライトユニットの柱状の前記透明層は設けられることを特徴とする表示装置。
【請求項４】
請求項３において、
前記導光板は、底面に設けられた反射層を有することを特徴とする表示装置。
【発明の詳細な説明】
【技術分野】
【０００１】
本発明は、バックライトユニットに関する。本発明は、バックライトユニットを有する表示装置に関する。本発明は、バックライトユニットを有する表示装置を備えた電子機器に関する。
【背景技術】
【０００２】
表示装置は、液晶表示装置に代表されるように、テレビ受像機などの大型表示装置から携帯電話などの小型表示装置に至るまで、普及が進んでいる。今後は、より付加価値の高い製品が求められており開発が進められている。近年では、地球環境への関心の高まり、及びモバイル機器の利便性向上の点から、低消費電力型の表示装置の開発が注目されている。
【０００３】
低消費電力型の表示装置として、フィールドシーケンシャル方式（色順次表示方式、時間分割表示方式、継時加法混色表示方式とも呼ばれる）で表示を行う表示装置がある。フィールドシーケンシャル方式は、赤（以下Ｒと略記することもある）、緑（以下Ｇと略記することもある）、青（以下Ｂと略記することもある）のバックライトの点灯を時間的に切り替えて、加法混色によりカラー表示を行う。そのため、各画素にカラーフィルタを設ける必要がなく、バックライトからの透過する光の利用効率を高めることができ、低消費電力化を実現できる。またフィールドシーケンシャル方式で表示を行う表示装置は１つの画素でＲ、Ｇ、Ｂを表現することができるため、高精細化が容易であるといった利点がある。
【０００４】
フィールシーケンシャル方式による駆動では、色割れ（カラーブレイクとも呼ばれる）といった特有の表示不良の問題がある。色割れの問題は、一定期間内での画像信号の書き込み回数を増やすことで、低減できることが知られている。
【０００５】
特許文献１及び非特許文献１では一定期間内での画像信号の書き込み回数を増やすために、フィールドシーケンシャル方式により表示を行う液晶表示装置において、表示領域を複数の領域に分割し、対応するバックライトユニットも複数の領域に分割する構成について開示している。
【先行技術文献】
【特許文献】
【０００６】
【特許文献１】特開２００６−２２０６８５号公報
【非特許文献】
【０００７】
【非特許文献１】Ｗｅｎ−Ｃｈｉｈ  Ｔａｉ，他６名  「Ｆｉｅｌｄ  Ｓｅｑｕｅｎｔｉａｌ  Ｃｏｌｏｒ  ＬＣＤ−ＴＶ  Ｕｓｉｎｇ  Ｍｕｌｔｉ−Ａｒｅａ  Ｃｏｎｔｒｏｌ  Ａｌｇｏｒｉｔｈｍ」，ＳＩＤ’０８  ＤＩＧＥＳＴ，ｐ．１０９２−１０９５
【発明の概要】
【発明が解決しようとする課題】
【０００８】
特許文献１及び非特許文献１の構成では表示領域を複数の領域に分割して、フィールドシーケンシャル方式の駆動を行う。表示領域の複数の領域に対応するようにバックライトユニットも複数の領域に分割され、それぞれの領域から選択的に光が射出される。このとき、バックライトユニットのある領域より射出された光が、表示領域の対応する領域のみに照射されるのではなく、当該領域に隣接する領域に漏洩すると、表示不良がおこる。
【０００９】
なお当該表示不良は、所定の色とは異なる光が混色して視認されるため、以下混色問題ということにする。また、表示領域を複数の領域に分割し、且つ表示領域の複数の領域に対応するようにバックライトユニットも複数の領域に分割してフィールドシーケンシャル方式による駆動を行う場合において、バックライトユニットの駆動をカラースキャンバックライト駆動（またはスキャンバックライト駆動）ということにする。
【００１０】
カラースキャンバックライト駆動を行う場合の混色問題について、図９（Ａ）乃至（Ｃ）の模式図を用いて説明する。図９（Ａ）ではバックライトユニットの構成について模式的に示している。図９（Ａ）では、バックライトユニット９００として光源部９０１、発光面９０２及び拡散シート９０３を示している。なお発光面９０２とは、光源部９０１からの光が拡散シート９０３を透過して表示領域に射出される際に、複数の領域に分割される様子を模式的に示したものであり、実際には拡散シート９０３の表面に相当する。
【００１１】
なお図９（Ａ）では図示していないが、バックライトユニット９００には表示素子を有する表示パネルが重畳して設けられる。例えば液晶表示装置であれば、表示パネルは、バックライトユニットからの光の透過または非透過を制御する液晶素子及びスイッチング素子がマトリクス状に設けられた領域を有する。当該領域が表示領域として機能する。
【００１２】
図９（Ａ）に示す光源部９０１には、加法混色により白色が得られる色の組み合わせの光源９１１がマトリクス状に複数設けられる。また光源部９０１において、表示領域の分割に対応するように、光源部９０１を第１の光源領域９１２、第２の光源領域９１３及び第３の光源領域９１４に分割した構成を例示している。また光源部９０１において、加法混色により白色が得られる組み合わせの光源９１１として、赤色（Ｒ）の発光ダイオード９１５、緑色（Ｇ）の発光ダイオード９１６及び青色（Ｂ）の発光ダイオード９１７を例示している。
【００１３】
図９（Ａ）に示す発光面９０２には、第１の光源領域９１２、第２の光源領域９１３及び第３の光源領域９１４に対応する領域として、第１の領域９２１、第２の領域９２２及び第３の領域９２３を示している。図９（Ｂ）では、発光面９０２での第１の領域９２１、第２の領域９２２及び第３の領域９２３を示しており、矩形状の各領域において長軸方向９３１、短軸方向９３２とする。
【００１４】
例えば第２の光源領域９１３が緑色（Ｇ）の発光ダイオード９１６の点灯を選択して、第２の領域９２２が緑色の発光を得るものとする。このとき、図９（Ａ）の第２の光源領域９１３より射出される光は、強度の分布が等方的に広がり、さらに拡散シート９０３により広がって発光面９０２での第２の領域９２２を形成することとなる。従って図９（Ｃ）に模式的に示すように、第２の光源領域９１３から発せられた光は、第２の領域９２２のみに入射するのではなく、隣接する第１の領域９２１の境界部分及び第３の領域９２３の境界部分にまで入射することになる。こうして、混色領域９４１が形成されてしまう。
【００１５】
そこで本発明の一態様は、カラースキャンバックライト駆動を行うバックライトユニットの構成において、混色問題を低減できる新規な構成を提案することを課題の一とする。
【課題を解決するための手段】
【００１６】
本発明の一態様は、底面に垂直な方向に高さを有し且つ底面に平行な一方向（ｘ方向）に延伸した柱状であって互いに並列に設けられた（ｊ＋１）（ｊは自然数）個の反射壁と、（ｊ＋１）個の反射壁のうち第ｒ（ｒは１乃至ｊの自然数）の反射壁と第（ｒ＋１）の反射壁に挟まれた領域に設けられた柱状の第ｒの透明層と、を含む導光板と、第ｒの透明層に光を入射させるように導光板の側面に設けられた第ｒの光源と、を有するバックライトユニットである。
【００１７】
（ｊ＋１）個の反射壁は、等間隔で設けることができる。
【００１８】
なお、導光板は、更に、底面に設けられた反射層を有していてもよい。反射層と反射壁とは一体形成されていてもよい。反射層と反射壁とは、同じ材料を用いて形成されていてもよいし、異なる材料を用いて形成されていてもよい。また、バックライトユニットは更に反射シートを有していてもよい。反射層を設ける代わりに、導光板の光を射出する面とは反対の面側に、当該反射シートを設けてもよい。
【００１９】
第ｒの光源から発生した光は、隣接する反射壁や反射層によって反射しながら第ｒの透明層中を伝搬し、第ｒの透明層の表面から射出される。つまり、柱状の透明層の表面がバックライトユニットの発光面の一部に対応する。第ｒの透明層に入射する光は、第ｒの光源によって制御される。そのため、バックライトユニットの発光面を複数の柱状の領域に分割し、各領域の発光色と発光状態を独立に選択することができる。こうして、カラースキャンバックライト駆動を行うことができる。
【００２０】
透明層の表面には、反射性を有する構造物が複数設けられていてもよい。当該構造物の大きさ及び配置密度を制御することによって、透明層から射出される光の強度分布を均一化することができる。
【００２１】
バックライトユニットは、更に拡散シートを有していてもよい。バックライトユニットは、更にプリズムシートを有していてもよい。バックライトユニットは、更に輝度向上シート（輝度向上フィルムともいう）を有していてもよい。拡散シート、プリズムシート、輝度向上シート等を導光板の光を射出する面側に設けることによって、導光板から射出された光の強度分布をより均一化し、光の強度を強くすることができる。
【００２２】
本発明の一態様は、上記バックライトユニットを用いた表示装置であってもよい。
【００２３】
本発明の一態様は、バックライトユニットと、バックライトユニットから光が照射される表示パネルとを有する表示装置とすることができる。表示パネルは、マトリクス状に画素が配置された表示領域を有し、表示領域は画素の一列を分割するように複数の領域に分割され、複数の領域それぞれのいずれかの行に同時に画像信号が書き込まれる構成とすることができる。なお、複数の領域それぞれのいずれかの行に順に画像信号が書き込まれる構成としてもよい。そして、表示領域の行方向（同じ行の画素が並んだ方向）と柱が延びた方向（ｘ方向）とが概略一致するように、且つ複数ずつ対応するように、複数の領域それぞれに対してバックライトユニットの柱状の透明層を設けることができる。
【００２４】
こうして、同時に（または順に）画像信号が書き込まれる複数の行に、バックライトユニットからそれぞれ異なる発光色の光を照射することができる。また、表示領域を分割した領域それぞれにおいて、バックライトユニットの柱状の透明層が複数対応するため、当該領域内において光が照射される照射領域を行方向に延びた概略柱状とし、当該照射領域を列方向に走査することができる。
【００２５】
画素は、表示素子とスイッチング素子を有する構成とすることができる。表示素子は液晶素子とすることができる。スイッチング素子はトランジスタとすることができる。トランジスタは、活性層にシリコン等の半導体を用いたものであってもよいし、酸化物半導体を用いたものであってもよい。
【発明の効果】
【００２６】
本発明の一態様によれば、反射壁によって光が所定の領域以外に漏洩するのを低減することができるため、カラースキャンバックライト駆動を行うバックライトユニットの構成において混色問題を低減でき、同時に、光の利用効率を向上させることができる。また、バックライトユニットに用いる光源の数を減らし、コストを低減させることができる。
【図面の簡単な説明】
【００２７】
【図１】バックライトユニットの構成を示す模式図。
【図２】導光板の作製方法を示す図。
【図３】導光板の作製方法を示す図。
【図４】バックライトユニットの導光板と光源の関係を示す模式図。
【図５】バックライトユニットの光源の配置を示す模式図。
【図６】バックライトユニット中の光の伝搬、及び射出される光の強度を示す模式図。
【図７】バックライトユニットと表示パネルを備えた表示装置の断面構造を示す模式図。
【図８】表示装置を備えた電子機器を説明する図。
【図９】カラースキャンバックライト駆動における混色問題を説明するための模式図。
【図１０】表示装置のフィールドシーケンシャル方式の駆動方法を示すタイミングチャート。
【図１１】表示装置の画素とバックライトユニットの対応を示す模式図。
【図１２】表示装置の各画素への画像信号の書き込みと、カラースキャンバックライト駆動との関連を示す図。
【図１３】表示装置の各画素への画像信号の書き込みと、カラースキャンバックライト駆動との関連を示す図。
【図１４】表示装置の各画素への画像信号の書き込みと、カラースキャンバックライト駆動との関連を示す図。
【図１５】表示パネルの構成を示す上面図及び断面図。
【図１６】導光板の作製方法を示す図。
【図１７】表示装置のフィールドシーケンシャル方式の駆動方法を示すタイミングチャート。
【図１８】表示装置の各画素への画像信号の書き込みと、カラースキャンバックライト駆動との関連を示す図。
【図１９】表示装置の各画素への画像信号の書き込みと、カラースキャンバックライト駆動との関連を示す図。
【図２０】表示装置の各画素への画像信号の書き込みと、カラースキャンバックライト駆動との関連を示す図。
【図２１】表示装置のフィールドシーケンシャル方式の駆動方法を示すタイミングチャート。
【発明を実施するための形態】
【００２８】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。なお、以下に説明する本発明の構成において、同じ物を指し示す符号は異なる図面間において共通とする。
【００２９】
なお、各実施の形態の図面等において示す各構成の、大きさ、層の厚さ、又は領域は、明瞭化のために誇張されて表記している場合がある。よって、必ずしもそのスケールに限定されない。
【００３０】
なお本明細書にて用いる第１、第２、第３、乃至第ｎ（ｎは自然数）という用語は、構成要素の混同を避けるために付したものであり、数的に限定するものではないことを付記する。
【００３１】
（実施の形態１）
本発明の一態様のバックライトユニットの構成を説明する。バックライトユニットの模式図を図１に示す。図１（Ａ）はバックライトユニットを模式的に示した斜視図である。図１（Ｂ）は、図１（Ａ）に示したバックライトユニットの一部を模式的に示した斜視図である。図１（Ｃ）は、図１（Ａ）に示したバックライトユニットをｚ方向からみた模式図である。図１（Ｄ）は図１（Ａ）に示したバックライトユニットをｘ方向からみた模式図である。バックライトユニットは、ｚ方向に光を射出するとする。
【００３２】
図１に示すように、バックライトユニットは、導光板１０１と、光源１１１とを有する。導光板１０１は、反射壁１０２と、透明層１０３と、反射層１０４とを有する。
【００３３】
反射壁１０２は、導光板１０１の底面（図中、ｘｙ平面に対応）に垂直な方向（図中、ｚ方向に対応）に高さを有し、且つ底辺に平行な一方向（ｘ方向）に延伸した柱状であり、互いに並列に（ｊ＋１）（ｊは自然数）個設けられる。なお、図１では、ｊが９の場合を例示している。反射壁１０２は、概略等間隔で設けることができる。
【００３４】
透明層１０３は、隣り合う反射壁１０２に挟まれた領域に設けられ、柱状である。図１では、透明層１０３が９個設けられる構成を例示している。なお、透明層１０３は、図１（Ａ）では符号を用いて示していないが、存在する。透明層１０３が分かり易いように、２つの隣り合う反射壁１０２とその間の構成のみを図示したものが、図１（Ｂ）である。
【００３５】
光源１１１は、複数の透明層１０３それぞれに光を入射させるように導光板１０１の側面に設けられる。
【００３６】
反射層１０４は、導光板１０１の底面（図中、ｘｙ平面に対応）に設けられる。
【００３７】
なお、図１では、１０個の反射壁１０２がそれぞれ独立した構成を示したが、本発明の一態様はこれに限定されず、複数の反射壁１０２のいずれかの一部がつながった構成であってもよい。図１では、９個の透明層１０３がそれぞれ独立した構成を示したが、本発明の一態様はこれに限定されず、複数の透明層１０３のいずれかの一部がつながった構成であってもよい。図１では、光源１１１を導光板１０１の対向する２つの側面に配置した構成を示したが、本発明の一態様はこれに限定されず、光源１１１は導光板１０１の対向する２つの側面のうち一方の側面にのみ設けてもよい。図１では、反射層１０４と反射壁１０２とが接した構成を示したが、本発明の一態様はこれに限定されず、反射層１０４と反射壁１０２の間に隙間がある構成であってもよい。反射層１０４と反射壁１０２とは異なる材料で形成されていてもよいし、同じ材料を用いて形成されていてもよい。また、反射層１０４と反射壁１０２とは一体形成されていてもよい。また、バックライトユニットにおいて、導光板１０１のｘｙ平面であって、光を射出する面とは反対の面側に反射シートを設けることによって、反射層１０４の代わりとしてもよい。また、反射壁１０２、反射層１０４、反射シートは、反射塗料（例えば、高効率反射塗料）を用いて形成したものであってもよい。また、反射壁１０２や、反射層１０４や、反射シートを設ける代わりに、透明層１０３とは屈折率が大きく異なる部材を設けることによって、屈折率の違いによる全反射を利用してもよい。
【００３８】
光源１１１から発生した光は、隣接する反射壁１０２や反射層１０４によって反射しながら透明層１０３の中を伝搬し、透明層１０３の表面から射出される。つまり、柱状の透明層１０３の表面がバックライトユニットの発光面の一部に対応する。
【００３９】
図６（Ａ）は、１つの柱状の透明層１０３に注目した場合の光の伝搬の様子を示す模式図である。光源１１１から発生した光は、図中の矢印で示すように、隣接する反射壁１０２や反射層１０４によって反射しながら透明層１０３の中を伝搬し、透明層１０３の表面から射出される。
【００４０】
図６（Ｂ）は、１つの柱状の透明層１０３の表面から発せられる光の、長軸方向１５１の強度分布１６１及び短軸方向１５２の強度分布１６２を示した図である。長軸方向１５１は、柱が延びた方向に相当する。反射壁１０２を設けることによって、短軸方向１５２の強度分布１６２の裾の広がりを抑制することができる。こうして、光が所定の領域以外に漏洩するのを低減することができる。
【００４１】
なお、図６（Ｃ）に示すように、透明層１０３の表面に、反射性を有する構造物１６０を複数設けてもよい。構造物１６０は反射ドット等ともいう。構造物１６０の大きさ及び配置密度を制御することによって、透明層１０３から射出される光の強度分布を均一化することができる。
【００４２】
なお、図１に示した構成において、バックライトユニットは、更に拡散シートや、プリズムシートや、輝度向上シート（輝度向上フィルムともいう）を有していてもよい。拡散シート、プリズムシート、輝度向上シート等を導光板１０１の光を射出する面側に設けることによって、導光板１０１から射出された光の強度分布をより均一化し、光の強度を強くすることができる。
【００４３】
以上のとおり、複数の透明層１０３に入射する光は、それぞれ対応する光源１１１によって制御される。そのため、バックライトユニットの発光面を複数の柱状の領域に分割し、各領域の発光色と発光状態を独立に選択することができる。こうして、カラースキャンバックライト駆動を行うことができる。また、反射壁１０２によって光が所定の領域以外に漏洩するのを低減することができるため、カラースキャンバックライト駆動を行うバックライトユニットの構成において混色問題を低減できる。同時に、光利用効率も向上させることができる。更に、導光板１０１の側面に光源１１１を配置し、側面から光を入射させるサイドライト型のバックライトユニットであるため、バックライトユニットに用いる光源の数を減らし、コストを低減させることができる。
【００４４】
本実施の形態は、他の実施の形態と自由に組み合わせて実施することが可能である。
【００４５】
（実施の形態２）
本実施の形態では、実施の形態１において図１を用いて説明した構成のバックライトユニットにおいて、導光板１０１と光源１１１の接続部分の構成の一態様について図４を用いて説明する。説明には図１の符号も参照する。
【００４６】
図４は説明のため、２つの隣り合う反射壁１０２及び透明層１０３の端部付近と、対応する１つの光源１１１を拡大して示した図である。実際には、図１（Ａ）、図１（Ｃ）、図１（Ｄ）に示すように、複数の反射壁１０２、複数の透明層１０３及び複数の光源１１１について、図４と同様の構成とすることができる。
【００４７】
導光板１０１と光源１１１の接続部分の構成の一態様を図４（Ａ）に示す。バックライトユニットは、反射ミラー１４１を有する。反射ミラー１４１は、光源１１１から射出された光を反射して、透明層１０３に入射させるように配置される。
【００４８】
導光板１０１と光源１１１の接続部分の構成の別の一態様を図４（Ｂ）に示す。バックライトユニットは、集光レンズ１４２を有する。集光レンズ１４２は、光源１１１から射出された光を集光して、透明層１０３に入射させるように配置される。
【００４９】
導光板１０１と光源１１１の接続部分の構成の別の一態様を図４（Ｃ）に示す。バックライトユニットは、光ファイバ１４３を有する。光ファイバ１４３は、光源１１１から射出された光を伝搬し、透明層１０３に入射させるように配置される。
【００５０】
図４（Ａ）乃至図４（Ｃ）の構成によって、光源１１１から射出された光を効率よく透明層１０３に入射させることができる。
【００５１】
本実施の形態は、他の実施の形態と自由に組み合わせて実施することが可能である。
【００５２】
（実施の形態３）
本実施の形態では、実施の形態１において図１を用いて説明した構成のバックライトユニットにおいて、光源１１１の構成の一態様について図５を用いて説明する。
【００５３】
光源１１１は、複数の光源の組み合わせによって構成することができる。例えば、加法混色により白色が得られる色の光源の組み合わせによって構成することができる。例えば、光源１１１は、赤色の光源（Ｒ）と、緑色の光源（Ｇ）と、青色の光源（Ｂ）との組み合わせによって構成することができる。また例えば、赤色の光源（Ｒ）と、緑色の光源（Ｇ）と、青色の光源（Ｂ）と、その他の色の光源との組み合わせによって構成することができる。その他の色としては、イエロー、シアン、マゼンタ等のいずれか１つまたは複数であってもよい。また、その他の色は白色であってもよい。光源としては、発光ダイオードや、有機ＥＬ素子等を用いることができる。
【００５４】
図５（Ａ）乃至図５（Ｃ）では、光源１１１として、赤色の光源（Ｒ）と、緑色の光源（Ｇ）と、青色の光源（Ｂ）とを組み合わせた場合の、各光源の配置例を示している。
【００５５】
図５（Ｄ）乃至図５（Ｆ）では、光源１１１として、赤色（Ｒ）の光源と、緑色（Ｇ）の光源と、青色（Ｂ）の光源と、イエロー、シアン、マゼンタ等のいずれか１つの光源（図中、Ｙで表記）とを組み合わせた場合の、各光源の配置例を示している。
【００５６】
図５（Ｇ）乃至図５（Ｉ）では、光源１１１として、赤色（Ｒ）の光源と、緑色（Ｇ）の光源と、青色（Ｂ）の光源と、白色の光源（図中、Ｗで表記）とを組み合わせた場合の、各光源の配置例を示している。
【００５７】
なお、各色の光を発生する光源を設ける代わりに、変換フィルター等を用いて所定の光を発生させてもよい。
【００５８】
本実施の形態は、他の実施の形態と自由に組み合わせて実施することが可能である。
【００５９】
（実施の形態４）
本実施の形態では、実施の形態１において図１を用いて説明した構成のバックライトユニットの作製方法の一態様を示す。説明には、図２、図１６、及び図３を用いる。
【００６０】
図２（Ａ）に示すように、表面２００上に透明な膜２０１を形成する。透明な膜２０１の材料は、石英やホウケイ酸ガラス等の無機ガラス（屈折率１．４２〜１．７、透過率８０〜９１％）や、プラスチック材料（樹脂材料）を用いることができる。プラスチックとしては、メタクリル樹脂、代表的にはアクリルで知られるポリメチルメタクリレート（屈折率１．４９、透過率９２〜９３％）、ポリカーボネート（屈折率１．５９、透過率８８〜９０％）、ポリアリレート（屈折率１．６１、透過率８５％）、ポリ４−メチルペンテン−１（屈折率１．４６、透過率９０％）、ＡＳ樹脂［アクリロニトリル・スチレン重合体］（屈折率１．５７、透過率９０％）、ＭＳ樹脂［メチルメタクリレート・スチレン重合体］（屈折率１．５６、透過率９０％）といった樹脂を混合した材料を用いることができる。なお、透明な膜２０１の材料はこれに限定されず、光を透過する任意の材料を用いて形成することができる。
【００６１】
表面２００は、光を透過する材料でなる基板やシート等の表面であればよい。例えば、表面２００は、プラスチック基板表面であっても、ガラス基板表面であってもよい。また、表面２００として、バックライトユニットと組み合わせて表示装置の構成する表示パネルに含まれる基板や光学シート（偏向板等に相当）の表面を用いてもよい。
【００６２】
次いで、図２（Ｂ）に示すように、透明な膜２０１をエッチング加工することによって、複数の透明層１０３を形成する。なお、図２（Ｂ）では、端部の透明層１０３ａが形成される例を示したが、エッチング加工によって端部の透明層１０３ａを無くしてもよい。
【００６３】
その後、図２（Ｃ）に示すように、反射性を有する材料を用いて、反射壁１０２と反射層１０４とを形成する。なお、図２（Ｃ）では、同じ材料を用いて反射壁１０２と反射層１０４を一体形成する例を示したが、本発明の一態様はこれに限定されない。例えば、図２（Ｄ）に示すように、複数の透明層１０３の間を埋めるように反射壁１０２を形成した後、反射層１０４を形成してもよい。また、図２（Ｅ）に示すように、複数の透明層１０３の間を埋めるように反射壁１０２を形成した後、接着層１２２を形成し、その後、反射層１０４を形成してもよい。この場合、反射層１０４を反射シートとして、接着層１２２によって反射シートと複数の透明層１０３及び反射壁１０２とが貼り合わせられる構成であってもよい。図２（Ｅ）では、反射層１０４と反射壁１０２の間に隙間がある構成となる。なお、図２（Ｄ）、図２（Ｅ）に示した構成において、反射壁１０２と反射層１０４は異なる材料を用いることもできる。
【００６４】
こうして、導光板１０１を作製し、光源１１１等を設けることによって、バックライトユニットを作製することができる。
【００６５】
図２に示したものとは異なるバックライトユニットの作製方法の一態様を図１６に示す。
【００６６】
図１６（Ａ）に示すように、表面２２０上に反射性を有する材料を用いて、反射層１０４を形成する。反射層１０４上に、透明な膜２０１を形成する。透明な膜２０１の材料は、図２の説明において列挙した材料と同様の材料を用いることができる。
【００６７】
表面２２０は、基板やシート等の表面であればよい。
【００６８】
次いで、図１６（Ｂ）に示すように、透明な膜２０１をエッチング加工することによって、複数の透明層１０３を形成する。なお、図１６（Ｂ）では、端部の透明層１０３ａが形成される例を示したが、エッチング加工によって端部の透明層１０３ａを無くしてもよい。
【００６９】
その後、図１６（Ｃ）に示すように、反射性を有する材料を用いて、複数の透明層１０３の間を埋めるように反射壁１０２を形成する。なお、図１６（Ｃ）では、反射壁１０２と反射層１０４は異なる材料を用いた例を示したが、本発明の一態様はこれに限定されず同じ材料を用いて形成してもよい。
【００７０】
こうして、導光板１０１を作製し、光源１１１等を設けることによって、バックライトユニットを作製することができる。
【００７１】
図２や図１６に示したものとは異なるバックライトユニットの作製方法の一態様を図３に示す。図３（Ａ）に示すように、反射性を有する材料を用いて、コの字型の断面を有し一方向に延びた部材１３０を作製する。また、図３（Ｂ）に示すように、光を透過する材料でなる柱状（直方体）の透明層１０３を形成する。そして、図３（Ｃ）に示すように、部材１３０に透明層１０３をはめ込む。
【００７２】
なお、図３（Ｃ）に示す構成の部材は、図３（Ｂ）に示すような、光を透過する材料でなる柱状（直方体）の透明層１０３の表面に反射塗料を塗布することによって形成することもできる。反射塗料は、例えば白色塗料とすることができる。
【００７３】
図３（Ｃ）に示す構成の部材を複数形成する。そして、図３（Ｄ）に示すように、複数の部材を合わせることによって、導光板１０１を形成することができる。
【００７４】
なお、図３（Ｅ）に示すように、図３（Ｃ）に示す構成の部材を複数、表面２３１上に貼り付けることによって、導光板１０１を形成してもよい。なお、図３（Ｅ）では、コの字型の部材１３０及び透明層１０３と、表面２３１とを接着するための接着層は無いが、接着層を有していてもよい。
【００７５】
表面２３１は、光を透過する材料でなる基板やシート等の表面であればよい。例えば、表面２３１は、プラスチック基板表面であっても、ガラス基板表面であってもよい。また、表面２３１として、バックライトユニットと組み合わせて表示装置の構成する表示パネルに含まれる基板や光学シート（偏向板等に相当）の表面を用いてもよい。
【００７６】
また、図３（Ｅ）とは異なり、図３（Ｆ）に示すように、図３（Ｃ）に示す構成の部材を複数、表面２３２上に貼り付けることによって、導光板１０１を形成してもよい。なお、図３（Ｆ）では、コの字型の部材１３０と、表面２３２とを接着するための接着層は無いが、接着層を有していてもよい。
【００７７】
こうして、導光板１０１を作製し、光源１１１等を設けることによって、バックライトユニットを作製することができる。
【００７８】
なお、反射性を有する材料として、アルミニウム、銀、金、白金、銅、アルミニウムを含む合金、銀を含む合金等を用いることができる。なお、反射壁１０２や反射層１０４は一層に限らず複数の層により構成されていてもよい。また、反射性を有する材料として反射塗料を用いてもよい。例えば、白色塗料を用いてもよい。
【００７９】
バックライトユニットに用いる接着層（例えば、接着層１２２）は、透光性を有する接着剤であり、表面２００を有する基板やシート、透明層１０３と、できる限り屈折率が同程度のものを使用することが好ましい。例えば、エポキシ樹脂を含む接着剤、ウレタン樹脂を含む接着剤、またはシリコーン樹脂を含む接着剤などを用いることができる。選択する材料に応じて、液滴吐出法、塗布法、スピンコート、ディップなどの方法で形成する。また、ドクターナイフ、ロールコーター、カーテンコーター、ナイフコーター等の器具を用いて形成しても良い。
【００８０】
バックライトユニットを構成し、光源からの光が伝搬する部分（透明層１０３、接着層、その他、拡散シート、プリズムシート等）の材料は、できる限り屈折率が同程度（屈折率の差が０．１５以下）のものを使用することが好ましい。そうすることで、屈折率の違いによる反射に起因する迷光を減らして、光源１１１から発生した光をバックライトユニットから射出される光として効率良く利用することができる。
【００８１】
本実施の形態は、他の実施の形態と自由に組み合わせて実施することが可能である。
【００８２】
（実施の形態５）
本実施の形態では、実施の形態１において図１を用いて説明した構成のバックライトユニットを用いた表示装置の構成の一態様を示す。
【００８３】
図７に表示装置の断面構成を示す。図７（Ａ）はｘ方向から見た断面図であり、図７（Ｂ）はｙ方向からみた断面図である。
【００８４】
図７において、表示装置は、バックライトユニット７０１と、バックライトユニット７０１から光が照射される表示パネル７０２とを有する。ユーザーの眼１７８は、白矢印の方向から表示装置を見て、画像を認識する。
【００８５】
表示パネル７０２は、素子基板１７４と、素子基板１７４上に設けられた画素１７９を複数と、素子基板１７４を対向する基板１７７と、偏光板１７３ａ及び偏光板１７３ｂとを有する。素子基板１７４及び基板１７７はバックライトユニット７０１から射出される光が透過するよう透光性を有する基板であることが求められる。なお、図７では、偏光板１７３ａ及び偏光板１７３ｂを設ける構成を例示したが、本発明の一態様はこれに限定されない。更に多くの偏光板を設けてもよいし、偏光板を設けなくてもよい。
【００８６】
複数の画素１７９は、素子基板１７４上にマトリクス状に設けられる。画素１７９は、スイッチング素子１７５と、表示素子１７６とを有する構成とすることができる。表示素子１７６は液晶素子とすることができる。なお表示素子１７６として光の透過または非透過を制御する素子であればよく、液晶素子の他にも例えばＭＥＭＳ（Ｍｉｃｒｏ  Ｅｌｅｃｔｒｏ  Ｍｅｃｈａｎｉｃａｌ  Ｓｙｓｔｅｍ）素子を用いてもよい。スイッチング素子１７５はトランジスタとすることができる。トランジスタは、活性層にシリコン等の半導体を用いたものであってもよいし、酸化物半導体を用いたものであってもよい。
【００８７】
バックライトユニット７０１は、光源１１１と、導光板１０１と、拡散シート１７１と、プリズムシート１７２とを有する。なお、図７では、拡散シート１７１と、プリズムシート１７２を設ける構成を例示したが、本発明の一態様はこれに限定されない。更に多くの拡散シートやプリズムシートを設けてもよいし、これらのシートを設けなくてもよい。更に、輝度向上シート（輝度向上フィルム）を設けてもよい。導光板１０１の構成については、図１等で示した構成と同様であるため説明は省略する。
【００８８】
図７に示した構成では、素子基板１７４上に２７行３６列の画素１７９がマトリクス状に配置され、１つの柱状の透明層１０３と重なるように、３行３６列の画素が配置される構成を例示したがこれに限定されない。１つの柱状の透明層１０３と重なる画素１７９は任意の数とすることができる。また、反射壁１０２や柱状の透明層１０３の数も任意の数とすることができる。
【００８９】
図７のような構成とすることによって、バックライトユニット７０１の柱状の透明層１０３から射出された光は、複数行の画素１７９に入射する構成とすることができる。そして、バックライトユニット７０１がカラースキャンバックライト駆動を行うことによって、表示装置はフィールドシーケンシャル方式による画像表示を行うことができる。
【００９０】
なお、図７に示したような、バックライトユニット７０１と表示パネル７０２とを重ねた表示装置において、光源１１１からの光が伝搬する部分の材料は、できる限り屈折率が同程度（屈折率の差が０．１５以下）のものを使用することが好ましい。特に、バックライトユニット７０１と表示パネル７０２とを接着層等で固着し、表示装置を形成（ソリッドステート化）する場合については、バックライトユニット７０１や表示パネル７０２を構成する部材であって光源１１１からの光が伝搬する部分の材料と、当該接着層の材料とを、できる限り屈折率が同程度（屈折率の差が０．１５以下）のものを使用することが好ましい。そうすることで、屈折率の違いによる反射に起因する迷光を減らして、光源１１１から発生した光を表示装置の画像表示に用いる光として効率良く利用することができる。
【００９１】
本実施の形態は、他の実施の形態と自由に組み合わせて実施することが可能である。
【００９２】
（実施の形態６）
本実施の形態では、表示装置においてフィールドシーケンシャル方式による画像表示を行う場合の駆動方法の一態様を説明する。説明には、図１０乃至図１４を用いる。なお、図１や図７と同じ部分は同じ符号を用いて示し、説明は省略する。
【００９３】
まず、表示装置の詳細な構成について、図１１を用いて説明する。
【００９４】
図１１（Ａ）に表示パネル７０２の上面図を示す。表示パネル７０２は、マトリクス状に画素１７９が配置された表示領域８０１を有し、表示領域８０１は画素の一列を分割するように複数の領域（図１１では、３つの領域（第１の領域８０１ａ、第２の領域８０１ｂ、第３の領域８０１ｃ）に分割される場合を例示）に分割される。表示領域８０１の行方向は、同じ行８０３の画素１７９が並んだ方向であり、図面の左右の方向に相当する。
【００９５】
図１１（Ｂ）に、図１１（Ａ）に示した表示パネル７０２と重なる、バックライトユニット７０１の上面図を示す。バックライトユニット７０１の柱状の透明層１０３は、表示領域８０１の行方向（同じ行８０３の画素１７９が並んだ方向）と柱が延びた方向とが概略一致するように設けられる。また、複数の領域（第１の領域８０１ａ、第２の領域８０１ｂ、第３の領域８０１ｃ）それぞれに対して、透明層１０３は複数ずつ（図１１では、４つずつの場合を例示）重なるように設けられる。また、１つの透明層１０３に対して複数行の画素（図１１では、３行の画素の場合を例示）が重なるように設けられる。ここで、１つの透明層に対応する画素の集合８０２をブロックと呼ぶことにする。図１１に例示した構成では、複数の領域（第１の領域８０１ａ、第２の領域８０１ｂ、第３の領域８０１ｃ）それぞれは、第１のブロック乃至第４のブロックを有する構成となる。
【００９６】
次いで、図１１に示した構成の表示装置において、フィールドシーケンシャル方式による画像表示を行う場合の駆動方法の一態様を図１０、図１２乃至図１４を用いて説明する。
【００９７】
図１０は、表示装置における選択信号の走査（列方向への走査）と、バックライトの点灯タイミングとを示す図である。選択信号とは、各画素１７９のスイッチング素子１７５のスイッチングを制御する信号である。選択信号によって、画素信号の書き込みを選択されると、画素１７９に画像信号が書き込まれる。図１０の縦軸は、図１１の表示領域８０１の画素行を示している。図１１の表示装置において図１０の駆動方法を用いる場合は、ｋが３、ｎが１２の場合に対応する。図１０の横軸は時刻を示している。そして、図１０中、太線は各画素に画像信号が書き込まれるタイミングを模式的に示したものである。また、図１０中、「Ｒ」は、赤色の発光色で透明層１０３から対応する複数の画素（例えば、第１の画素乃至第ｋの画素）に対して光が発せられていることを示している。図１０中、「Ｂ」は、青色の発光色で透明層１０３から対応する複数の画素（例えば、第（ｎ＋１）の画素乃至第（ｎ＋ｋ）の画素）に対して光が発せられていることを示している。図１０中、「Ｇ」は、緑色の発光色で透明層１０３から対応する複数の画素（例えば、第（２ｎ＋１）の画素乃至第（２ｎ＋ｋ）の画素）に対して光が発せられていることを示している。
【００９８】
サンプリング期間（ｔ１）において、１行目に配設されたｍ（ｍは自然数：図１１では、ｍが５０の場合を例示）個の画素１７９からｎ（ｎは自然数：図１１では、ｎが１２の場合を例示）行目に配設されたｍ個の画素１７９を順次選択し、且つ（ｎ＋１）行目に配設されたｍ個の画素１７９から２ｎ行目に配設されたｍ個の画素１７９を順次選択し、且つ（２ｎ＋１）行目に配設されたｍ個の画素１７９から３ｎ行目に配設されたｍ個の画素１７９を順次選択することで、各画素に画像信号を入力する。
【００９９】
サンプリング期間（ｔ１）の駆動方法について、図１２及び図１３を用いて詳細に説明する。図１２乃至図１４において、黒く塗りつぶした画素行は画像信号が書き込まれている画素行に対応する。また、Ｒ、Ｂ、Ｇはそれぞれ、赤色で発光している透明層１０３、青色で発光している透明層１０３、緑色で発光している透明層１０３を示しており、白い部分は発光していない（非点灯の）透明層１０３に対応する。
【０１００】
サンプリング期間（ｔ１）のはじめ、図１２（Ａ）に示すように、第１行、第（ｎ＋１）行、第（２ｎ＋１）行の画素に同時に画像信号が入力される。なお、これらの行に順に画像信号を入力してもよい。その後、図１２（Ｂ）に示すように、次の行である、第２行、第（ｎ＋２）行、第（２ｎ＋２）行の画素に同時に画像信号が入力される。なお、これらの行に順に画像信号を入力してもよい。このように複数の領域（第１の領域８０１ａ、第２の領域８０１ｂ、第３の領域８０１ｃ）それぞれの第１のブロックにおいて１行ずつ画素行を選択し画像信号の入力を行う。そして、図１２（Ｃ）に示すように、複数の領域（第１の領域８０１ａ、第２の領域８０１ｂ、第３の領域８０１ｃ）それぞれの第１ブロックの最後の画素行まで画像信号の入力が終了すると、図１２（Ｄ）に示すように、バックライトユニット７０１において、対応する透明層１０３が発光する。
【０１０１】
なお、図１２（Ｄ）において、第１の領域８０１ａの第３のブロックと第４のブロックに対応する透明層１０３は青色で発光し、第２の領域８０１ｂの第３のブロックと第４のブロックに対応する透明層１０３は緑色で発光し、第３の領域８０１ｃの第３のブロックと第４のブロックに対応する透明層１０３は赤色で発光している。これらのブロックにはサンプリング期間（ｔ１）よりも前のサンプリング期間において画像信号が入力されており、当該画像信号に基づいた表示を行っている。
【０１０２】
その後、図１２（Ｅ）に示すように、複数の領域（第１の領域８０１ａ、第２の領域８０１ｂ、第３の領域８０１ｃ）それぞれの第２のブロックにおいても同様に画像信号が入力され、複数の領域（第１の領域８０１ａ、第２の領域８０１ｂ、第３の領域８０１ｃ）それぞれの第２ブロックの最後の画素行まで画像信号の入力が終了すると、図１３（Ａ）に示すように、バックライトユニット７０１において、対応する透明層１０３が発光する。第２ブロックに画像信号の入力を行っている間、第１のブロック、第３のブロック、第４のブロックに対応する透明層１０３は発光している。つまり、画像信号の入力と、バックライトユニット７０１の点灯とを並行して行う。
【０１０３】
図１３（Ｂ）乃至図１３（Ｅ）に示すように、上記動作を、第３のブロック、第４のブロックについても行う。こうして、サンプリング期間（ｔ１）が終了する。サンプリング期間（ｔ１）の終了後のバックライトユニット７０１の発光状態は、図１３（Ｆ）のようにすることができる。ここで、図１３（Ｆ）において、第１のブロックに対応する透明層１０３は発光していない。
【０１０４】
図１４（Ａ）乃至図１４（Ｃ）に示すとおり、サンプリング期間（ｔ２）においても、サンプリング期間（ｔ１）と同様の動作を繰り返す。但し、複数の領域（第１の領域８０１ａ、第２の領域８０１ｂ、第３の領域８０１ｃ）において、バックライトユニット７０１の各透明層１０３から発せられる光の色は、サンプリング期間（ｔ１）とは異なる。サンプリング期間（ｔ２）の終了後のバックライトユニット７０１の発光状態は、図１４（Ｄ）のようにすることができる。ここで、図１４（Ｄ）において、第１のブロックに対応する透明層１０３は発光していない。
【０１０５】
同様に、図１４（Ｅ）に示すとおり、サンプリング期間（ｔ３）においても、サンプリング期間（ｔ１）やサンプリング期間（ｔ２）と同様の動作を繰り返す。但し、複数の領域（第１の領域８０１ａ、第２の領域８０１ｂ、第３の領域８０１ｃ）において、バックライトユニット７０１の各透明層１０３から発せられる光の色は、サンプリング期間（ｔ１）やサンプリング期間（ｔ２）とは異なる。サンプリング期間（ｔ３）において、第１のブロックの画像信号の書き込みが終了した後のバックライトユニット７０１の発光状態は、図１４（Ｆ）のようにすることができる。ここで、図１４（Ｆ）において、第２のブロックに対応する透明層１０３は発光していない。
【０１０６】
サンプリング期間（ｔ１）乃至サンプリング期間（ｔ３）に行われる動作によって、表示領域８０１において１枚の画像が形成される。すなわち、サンプリング期間（ｔ１）乃至サンプリング期間（ｔ３）が１フレーム期間に相当する。
【０１０７】
なお、図１０、図１２乃至図１４に示した駆動方法では、バックライトとして赤色（Ｒ）、緑色（Ｇ）、青色（Ｂ）の３色の光を用いる場合について示したが、これに限定されない。すなわち、任意の色を呈するバックライトを組み合わせて用いることが可能である。バックライトとして用いる色の数に応じて、１フレーム期間に含まれるサンプリング期間の数を設定することができる。なお、１フレーム期間に含まれるサンプリング期間の数は任意に設定することができる。また、１フレーム期間中に、バックライトが点灯しない期間を設けてもよい。
【０１０８】
以上のように、図１０、図１２乃至図１４に示した駆動方法では、複数行の画素に対して同時に画像信号を供給することにより、表示装置が有するトランジスタなどのスイッチング素子の応答速度を変化させることなく、各画素に対する画像信号の入力頻度を向上させることが可能になる。例えば、図１０、図１２乃至図１４に示した駆動方法では、駆動回路のクロック周波数などを変化させることなく、各画素に対する画像信号の入力頻度を３倍にすることが可能である。
【０１０９】
さらに、フィールドシーケンシャル方式によって表示を行う表示装置では色情報が時間分割される。そのため、利用者の瞬きなど短時間の表示の遮りに起因して特定の表示情報が欠落することによって、当該利用者に視認される表示が本来の表示情報に基づく表示から変化（劣化）すること（カラーブレイク、色割れともいう）がある。ここで、カラーブレイクの抑制には、フレーム周波数を高くすることが効果的である。一方、フィールドシーケンシャル方式によって表示を行うためには、フレーム周波数よりも高い頻度で各画素に対して画像信号を入力する必要がある。そのため、従来の表示装置においてフィールドシーケンシャル方式且つ高フレーム周波数駆動によって表示を行う場合、当該表示装置を構成する素子の性能（高速応答性）に対する要求が非常に厳しくなる。これに対し、図１０、図１２乃至図１４に示した駆動方法において、複数行の画素に対して同時に画像信号を供給することにより、素子の特性に制約されることなく各画素に対する画像信号の入力頻度を向上させることが可能である。そのため、フィールドシーケンシャル方式によって表示を行う表示装置におけるカラーブレイクの抑制を容易に行うことが可能である。
【０１１０】
加えて、図１０、図１２乃至図１４に示した駆動方法のように、表示領域８０１の部分毎に異なる色の光をバックライトユニット７０１から同時に入射させることは、フィールドシーケンシャル方式によって表示を行う表示装置において以下の点で好ましい。表示領域８０１の全面共通に同じ色の光をバックライトユニット７０１から入射させる場合、特定の瞬間において表示領域８０１には特定の色に関する色情報のみが存在することになる。そのため、利用者の瞬きなどによる特定の期間の表示情報の欠落が特定の色情報の欠落となる。これに対し、表示領域８０１の部分毎に異なる色の光をバックライトユニット７０１から同時に入射させる場合、特定の瞬間において表示領域８０１には複数の色に関する色情報が存在することになる。そのため、利用者の瞬きなどによる特定の期間の表示情報の欠落が特定の色情報の欠落とはならない。つまり、表示領域８０１の部分毎に異なる色の光をバックライトユニット７０１から同時に入射させることで、カラーブレイクを軽減することが可能である。更に、図１０、図１２乃至図１４に示した駆動方法では、表示領域８０１の隣り合うブロックにおいて、バックライトユニット７０１から異なる色の光を入射させない駆動方法であるため、混色の影響を低減することができる。
【０１１１】
本実施の形態は、他の実施の形態と自由に組み合わせて実施することが可能である。
【０１１２】
（実施の形態７）
本実施の形態では、表示装置においてフィールドシーケンシャル方式による画像表示を行う場合の駆動方法の一態様について、実施の形態６において説明した駆動方法とは別の駆動方法について説明する。説明には、図１７乃至図２１を用いる。なお、図１、図７、図１１と同じ部分は同じ符号を用いて示し、説明は省略する。
【０１１３】
表示装置の詳細な構成については、実施の形態６において図１１を用いて説明した構成と同様であるため説明は省略する。
【０１１４】
実施の形態６において、図１０、図１２乃至図１４に示した駆動方法では、複数の領域（第１の領域８０１ａ、第２の領域８０１ｂ、第３の領域８０１ｃ）それぞれにおいて、同じ時刻に３つのブロックに対応する透明層１０３が発光している例を示した。しかしこれに限定されない。複数の領域（第１の領域８０１ａ、第２の領域８０１ｂ、第３の領域８０１ｃ）それぞれにおいて、同じ時刻に対応する透明層１０３が発光しているブロックの数は任意の数とすることができる。
【０１１５】
本実施の形態では、複数の領域（第１の領域８０１ａ、第２の領域８０１ｂ、第３の領域８０１ｃ）それぞれにおいて、同じ時刻に対応する透明層１０３が発光しているブロックの数が１つの場合の例について説明する。
【０１１６】
図１７は、表示装置における選択信号の走査（列方向への走査）と、バックライトの点灯タイミングとを示す図である。選択信号とは、各画素１７９のスイッチング素子１７５のスイッチングを制御する信号である。選択信号によって、画素信号の書き込みを選択されると、画素１７９に画像信号が書き込まれる。図１７の縦軸は、図１１の表示領域８０１の画素行を示している。図１１の表示装置において図１７の駆動方法を用いる場合は、ｋが３、ｎが１２の場合に対応する。図１７の横軸は時刻を示している。そして、図１７中、太線は各画素に画像信号が書き込まれるタイミングを模式的に示したものである。また、図１７中、「Ｒ」は、赤色の発光色で透明層１０３から対応する複数の画素（例えば、第１の画素乃至第ｋの画素）に対して光が発せられていることを示している。図１７中、「Ｂ」は、青色の発光色で透明層１０３から対応する複数の画素（例えば、第（ｎ＋１）の画素乃至第（ｎ＋ｋ）の画素）に対して光が発せられていることを示している。図１７中、「Ｇ」は、緑色の発光色で透明層１０３から対応する複数の画素（例えば、第（２ｎ＋１）の画素乃至第（２ｎ＋ｋ）の画素）に対して光が発せられていることを示している。
【０１１７】
サンプリング期間（ｔ１）において、１行目に配設されたｍ（ｍは自然数：図１１では、ｍが５０の場合を例示）個の画素１７９からｎ（ｎは自然数：図１１では、ｎが１２の場合を例示）行目に配設されたｍ個の画素１７９を順次選択し、且つ（ｎ＋１）行目に配設されたｍ個の画素１７９から２ｎ行目に配設されたｍ個の画素１７９を順次選択し、且つ（２ｎ＋１）行目に配設されたｍ個の画素１７９から３ｎ行目に配設されたｍ個の画素１７９を順次選択することで、各画素に画像信号を入力する。
【０１１８】
サンプリング期間（ｔ１）の駆動方法について、図１８及び図１９を用いて詳細に説明する。図１８乃至図２０において、黒く塗りつぶした画素行は画像信号が書き込まれている画素行に対応する。また、Ｒ、Ｂ、Ｇはそれぞれ、赤色で発光している透明層１０３、青色で発光している透明層１０３、緑色で発光している透明層１０３を示しており、白い部分は発光していない（非点灯の）透明層１０３に対応する。
【０１１９】
サンプリング期間（ｔ１）のはじめ、図１８（Ａ）に示すように、第１行、第（ｎ＋１）行、第（２ｎ＋１）行の画素に同時に画像信号が入力される。なお、これらの行に順に画像信号を入力してもよい。その後、図１８（Ｂ）に示すように、次の行である、第２行、第（ｎ＋２）行、第（２ｎ＋２）行の画素に同時に画像信号が入力される。なお、これらの行に順に画像信号を入力してもよい。このように複数の領域（第１の領域８０１ａ、第２の領域８０１ｂ、第３の領域８０１ｃ）それぞれの第１のブロックにおいて１行ずつ画素行を選択し画像信号の入力を行う。そして、図１８（Ｃ）に示すように、複数の領域（第１の領域８０１ａ、第２の領域８０１ｂ、第３の領域８０１ｃ）それぞれの第１ブロックの最後の画素行まで画像信号の入力が終了すると、図１８（Ｄ）に示すように、バックライトユニット７０１において、対応する透明層１０３が発光する。
【０１２０】
その後、図１８（Ｅ）に示すように、複数の領域（第１の領域８０１ａ、第２の領域８０１ｂ、第３の領域８０１ｃ）それぞれの第２のブロックにおいても同様に画像信号が入力され、複数の領域（第１の領域８０１ａ、第２の領域８０１ｂ、第３の領域８０１ｃ）それぞれの第２ブロックの最後の画素行まで画像信号の入力が終了すると、図１９（Ａ）に示すように、バックライトユニット７０１において、対応する透明層１０３が発光する。第２ブロックに画像信号の入力を行っている間、第１のブロックに対応する透明層１０３は発光している。つまり、画像信号の入力と、バックライトユニット７０１の点灯とを並行して行う。
【０１２１】
図１９（Ｂ）乃至図１９（Ｅ）に示すように、上記動作を、第３のブロック、第４のブロックについても行う。こうして、サンプリング期間（ｔ１）が終了する。サンプリング期間（ｔ１）の終了後のバックライトユニット７０１の発光状態は、図１９（Ｆ）のようにすることができる。
【０１２２】
図２０（Ａ）乃至図２０（Ｃ）に示すとおり、サンプリング期間（ｔ２）においても、サンプリング期間（ｔ１）と同様の動作を繰り返す。但し、複数の領域（第１の領域８０１ａ、第２の領域８０１ｂ、第３の領域８０１ｃ）において、バックライトユニット７０１の各透明層１０３から発せられる光の色は、サンプリング期間（ｔ１）とは異なる。サンプリング期間（ｔ２）の終了後のバックライトユニット７０１の発光状態は、図２０（Ｄ）のようにすることができる。
【０１２３】
同様に、図２０（Ｅ）に示すとおり、サンプリング期間（ｔ３）においても、サンプリング期間（ｔ１）やサンプリング期間（ｔ２）と同様の動作を繰り返す。但し、複数の領域（第１の領域８０１ａ、第２の領域８０１ｂ、第３の領域８０１ｃ）において、バックライトユニット７０１の各透明層１０３から発せられる光の色は、サンプリング期間（ｔ１）やサンプリング期間（ｔ２）とは異なる。サンプリング期間（ｔ３）において、第１のブロックの画像信号の書き込みが終了した後のバックライトユニット７０１の発光状態は、図２０（Ｆ）のようにすることができる。
【０１２４】
サンプリング期間（ｔ１）乃至サンプリング期間（ｔ３）に行われる動作によって、表示領域８０１において１枚の画像が形成される。すなわち、サンプリング期間（ｔ１）乃至サンプリング期間（ｔ３）が１フレーム期間に相当する。
【０１２５】
なお、図１７乃至図２０に示した駆動方法では、画像信号の入力が終了した画素行に対して直ぐに対応する透明層１０３を発光させる例を示したがこれに限定されない。画像信号の入力が終了した後、しばらく時間をおいて対応する透明層１０３を発光させてもよい。このような駆動方法の一例を図２１のタイミングチャートに示す。なお、基本的な駆動方法は図１７乃至図２０に示した駆動方法と同様であるため、詳細な説明は省略する。画像信号の入力が終了した後、対応する透明層１０３を発光させるまでの時間は、例えば、表示素子の応答時間を考慮して定めることができる。表示素子として液晶素子を用いる場合には、液晶素子の応答時間を考慮して定めることができる。液晶素子等の表示素子が十分に応答した後、対応する透明層１０３を発光させることによって、画像信号に基づいた正確な表示を行うことが可能である。
【０１２６】
なお、図１７乃至図２１に示した駆動方法では、バックライトとして赤色（Ｒ）、緑色（Ｇ）、青色（Ｂ）の３色の光を用いる場合について示したが、これに限定されない。すなわち、任意の色を呈するバックライトを組み合わせて用いることが可能である。バックライトとして用いる色の数に応じて、１フレーム期間に含まれるサンプリング期間の数を設定することができる。なお、１フレーム期間に含まれるサンプリング期間の数は任意に設定することができる。また、１フレーム期間中に、バックライトが点灯しない期間を設けてもよい。
【０１２７】
以上のように、図１７乃至図２１に示した駆動方法では、複数行の画素に対して同時に画像信号を供給することにより、表示装置が有するトランジスタなどのスイッチング素子の応答速度を変化させることなく、各画素に対する画像信号の入力頻度を向上させることが可能になる。例えば、図１７乃至図２１に示した駆動方法では、駆動回路のクロック周波数などを変化させることなく、各画素に対する画像信号の入力頻度を３倍にすることが可能である。
【０１２８】
さらに、フィールドシーケンシャル方式によって表示を行う表示装置では色情報が時間分割される。そのため、利用者の瞬きなど短時間の表示の遮りに起因して特定の表示情報が欠落することによって、当該利用者に視認される表示が本来の表示情報に基づく表示から変化（劣化）すること（カラーブレイク、色割れともいう）がある。ここで、カラーブレイクの抑制には、フレーム周波数を高くすることが効果的である。一方、フィールドシーケンシャル方式によって表示を行うためには、フレーム周波数よりも高い頻度で各画素に対して画像信号を入力する必要がある。そのため、従来の表示装置においてフィールドシーケンシャル方式且つ高フレーム周波数駆動によって表示を行う場合、当該表示装置を構成する素子の性能（高速応答性）に対する要求が非常に厳しくなる。これに対し、図１７乃至図２１に示した駆動方法において、複数行の画素に対して同時に画像信号を供給することにより、素子の特性に制約されることなく各画素に対する画像信号の入力頻度を向上させることが可能である。そのため、フィールドシーケンシャル方式によって表示を行う表示装置におけるカラーブレイクの抑制を容易に行うことが可能である。
【０１２９】
加えて、図１７乃至図２１に示した駆動方法のように、表示領域８０１の部分毎に異なる色の光をバックライトユニット７０１から同時に入射させることは、フィールドシーケンシャル方式によって表示を行う表示装置において以下の点で好ましい。表示領域８０１の全面共通に同じ色の光をバックライトユニット７０１から入射させる場合、特定の瞬間において表示領域８０１には特定の色に関する色情報のみが存在することになる。そのため、利用者の瞬きなどによる特定の期間の表示情報の欠落が特定の色情報の欠落となる。これに対し、表示領域８０１の部分毎に異なる色の光をバックライトユニット７０１から同時に入射させる場合、特定の瞬間において表示領域８０１には複数の色に関する色情報が存在することになる。そのため、利用者の瞬きなどによる特定の期間の表示情報の欠落が特定の色情報の欠落とはならない。つまり、表示領域８０１の部分毎に異なる色の光をバックライトユニット７０１から同時に入射させることで、カラーブレイクを軽減することが可能である。更に、図１７乃至図２１に示した駆動方法では、表示領域８０１の隣り合うブロックにおいて、バックライトユニット７０１から異なる色の光を入射させない駆動方法であるため、混色の影響を低減することができる。特に、複数の領域（第１の領域８０１ａ、第２の領域８０１ｂ、第３の領域８０１ｃ）それぞれが含むブロックの数を増やし、且つ、同じ時刻に対応する透明層１０３が発光しているブロックの数を少なくすることによって、バックライトユニット７０１から異なる色の光が入射するブロックを遠く離れた状態とすることができる。こうして、混色の影響を更に低減することができる。
【０１３０】
本実施の形態は、他の実施の形態と自由に組み合わせて実施することが可能である。
【０１３１】
（実施の形態８）
本実施の形態では、上記実施の形態で説明したバックライトユニットと組み合わせて用いる表示パネルの一態様を示す。
【０１３２】
表示パネルの外観及び断面について、図１５を用いて説明する。図１５（Ａ１）、図１５（Ａ２）は、表示パネルの上面図であり、図１５（Ｂ）は、図１５（Ａ１）及び図１５（Ａ２）のＭ−Ｎにおける断面図に相当する。
【０１３３】
第１の基板４００１上に設けられた表示領域４００２と、走査線駆動回路４００４とを囲むようにして、シール材４００５が設けられている。また、表示領域４００２と、走査線駆動回路４００４の上に第２の基板４００６が設けられている。表示領域４００２と、走査線駆動回路４００４とは、第１の基板４００１とシール材４００５と第２の基板４００６とによって、液晶層４００８と共に封止されている。第１の基板４００１が素子基板に対応する。第１の基板４００１、第２の基板４００６としては、透光性を有するガラス、プラスチックなどを用いることができる。
【０１３４】
液晶層４００８の膜厚（セルギャップ）を制御するために、柱状のスペーサ４０３５が設けられている。柱状のスペーサ４０３５は、絶縁膜を選択的にエッチングすることにより形成することができる。なお、柱状のスペーサ４０３５の代わりに、球状のスペーサを用いていてもよい。
【０１３５】
なお、図１５（Ａ１）は第１の基板４００１上のシール材４００５によって囲まれている領域とは異なる領域に、信号線駆動回路４００３が実装されている。信号線駆動回路４００３は、第１の基板４００１や第２の基板４００６とは異なる基板上に単結晶半導体膜又は多結晶半導体膜を用いて形成されたものである。なお、図１５（Ａ２）は信号線駆動回路の一部を第１の基板４００１上にトランジスタで形成する例であり、第１の基板４００１上に信号線駆動回路４００３ｂがトランジスタを用いて形成されている。また、第１の基板４００１上に、信号線駆動回路４００３ａが実装されている。信号線駆動回路４００３ａは、第１の基板４００１や第２の基板４００６とは異なる基板上に単結晶半導体膜又は多結晶半導体膜を用いて形成されたものである。なお、走査線駆動回路を別途形成して実装してもよいし、走査線駆動回路の一部のみを別途形成して実装してもよい。
【０１３６】
駆動回路の実装の方法は、特に限定されるものではなく、ＣＯＧ方法、ワイヤボンディング方法、またはＴＡＢ方法などを用いることができる。図１５（Ａ１）は、ＣＯＧ方法により信号線駆動回路４００３を実装する例であり、図１５（Ａ２）は、ＴＡＢ方法により信号線駆動回路４００３を実装する例である。
【０１３７】
また、第１の基板４００１上に設けられた表示領域４００２と、走査線駆動回路４００４は、トランジスタを複数有しており、図１５（Ｂ）では、表示領域４００２に含まれるトランジスタ４０１０と、走査線駆動回路４００４に含まれるトランジスタ４０１１とを例示している。なお、トランジスタ４０１０及びトランジスタ４０１１は、特に限定されず様々なトランジスタを適用することができる。トランジスタ４０１０及びトランジスタ４０１１の活性層（チャネルが形成される層）は、シリコン（アモルファスシリコン、微結晶シリコン又はポリシリコン）等の半導体や酸化物半導体を用いることができる。
【０１３８】
また、トランジスタは静電気などにより破壊されやすいため、トランジスタのゲートに電気的に接続されるゲート線や、トランジスタのソースまたはドレインの一方に電気的に接続されるソース線に対して、保護回路を設けることが好ましい。保護回路は、酸化物半導体を用いた非線形素子を用いて構成することが好ましい。
【０１３９】
トランジスタ４０１０及びトランジスタ４０１１上には絶縁層４０２０、絶縁層４０２１が設けられている。なお、絶縁層４０２０、絶縁層４０２１のいずれか一方を設けなくてもよいし、トランジスタ４０１０及びトランジスタ４０１１の上に更に多くの絶縁層を設けてもよい。絶縁層４０２０は保護膜として機能する。絶縁層４０２１はトランジスタ等による凹凸を緩和する平坦化膜として機能する。保護膜は、大気中に浮遊する有機物や金属物、水蒸気などの汚染不純物がトランジスタへ侵入を防ぐためのものであり、緻密な膜が好ましい。保護膜は、スパッタ法を用いて、酸化珪素膜、窒化珪素膜、酸化窒化珪素膜、窒化酸化珪素膜、酸化アルミニウム膜、窒化アルミニウム膜、酸化窒化アルミニウム膜、又は窒化酸化アルミニウム膜の単層、又は積層で形成すればよい。また、保護膜を形成した後に、トランジスタ４０１０及びトランジスタ４０１１の活性層となる半導体層の加熱処理を行ってもよい。平坦化膜は、例えば有機樹脂膜によって形成することができる。
【０１４０】
表示領域４００２には、液晶素子４０１３が設けられている。液晶素子４０１３は、画素電極層４０３０、共通電極層４０３１、及び液晶層４００８を含む。画素電極層４０３０は、トランジスタ４０１０と電気的に接続されている。液晶層４００８としては様々な液晶を用いることができる。例えば、ブルー相を示す液晶層を用いることができる。画素電極層４０３０及び共通電極層４０３１は、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（ＩＴＯ）、インジウム亜鉛酸化物、酸化ケイ素を添加したインジウム錫酸化物などの透光性を有する導電性材料を用いることができる。また、画素電極層４０３０及び共通電極層４０３１は、導電性高分子（導電性ポリマーともいう）を含む導電性組成物を用いて形成することもできる。
【０１４１】
図１５では、ＩＰＳ（Ｉｎ  Ｐｌａｎｅ  Ｓｗｉｔｃｈｉｎｇ）モードで用いる電極構成を適用する場合を示している。なお、ＩＰＳモードに限られず、ＦＦＳ（Ｆｒｉｎｇｅ  Ｆｉｅｌｄ  Ｓｗｉｔｃｈｉｎｇ）モードで用いる電極構成を適用することも可能である。
【０１４２】
信号線駆動回路、走査線駆動回路、表示領域４００２に与えられる各種信号及び電位は、ＦＰＣ４０１８から供給されている。図１５では、接続端子電極４０１５が、画素電極層４０３０と同じ導電膜から形成され、端子電極４０１６は、トランジスタ４０１０及びトランジスタ４０１１のソース電極層及びドレイン電極層と同じ導電膜で形成されている。接続端子電極４０１５は、ＦＰＣ４０１８が有する端子と、異方性導電膜４０１９を介して電気的に接続されている。
【０１４３】
図１５においては、トランジスタ４０１０及びトランジスタ４０１１上方を覆うように遮光層４０３４が第１の基板４００１側に設けられている。遮光層４０３４を設けることにより、トランジスタ特性の安定化の効果を高めることができる。また、遮光層４０３４が第１の基板４００１側に設けられているため、液晶層４００８としてブルー相を示す液晶層を用いる場合に、第２の基板４００６側から紫外線を照射して液晶の高分子安定化を行ったときに遮光層４０３４上の液晶層もブルー相で高分子安定化することができる。なお、遮光層４０３４は第２の基板４００６に設けられてもよい。
【０１４４】
なお、フィールドシーケンシャル方式によって表示を行う表示装置においてカラーフィルタは必要無い。また、素子基板と対向して設けられる基板（第２の基板４００６）に遮光層を設ける構成に対して、図１５に示したような第１の基板４００１側に遮光層４０３４を設ける構成では、第２の基板４００６表面に構造物を一切設けないようにすることも可能である。こうして、表示装置の作製工程を簡略化し、歩留まりを向上させることが可能である。
【０１４５】
本実施の形態は、他の実施の形態と自由に組み合わせて実施することが可能である。
【０１４６】
（実施の形態９）
本明細書に開示するバックライトユニットを具備する表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ等のカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。上記実施の形態で説明した表示装置を具備する電子機器の例について説明する。
【０１４７】
図８（Ａ）は、本明細書に開示するバックライトユニットを具備する表示装置を用いた電子書籍の一例を示している。図８（Ａ）に示す電子書籍は、筐体１７００及び筐体１７０１の２つの筐体で構成されている。筐体１７００及び筐体１７０１は、蝶番１７０４により一体になっており、開閉動作を行うことができる。このような構成により、書籍のような動作を行うことが可能となる。
【０１４８】
筐体１７００には表示領域１７０２が組み込まれ、筐体１７０１には表示領域１７０３が組み込まれている。表示領域１７０２及び表示領域１７０３は、続き画面を表示する構成としてもよいし、異なる画面を表示する構成としてもよい。異なる画面を表示する構成とすることで、例えば右側の表示領域（図８（Ａ）では表示領域１７０２）に文章を表示し、左側の表示領域（図８（Ａ）では表示領域１７０３）に画像を表示することができる。
【０１４９】
また、図８（Ａ）では、筐体１７００に操作部等を備えた例を示している。例えば、筐体１７００は、電源入力端子１７０５、操作キー１７０６、スピーカ１７０７等を備えている。操作キー１７０６により、頁を送ることができる。なお、筐体の表示領域と同一面にキーボードやポインティングディバイス等を備える構成としてもよい。また、筐体の裏面や側面に、外部接続用端子（イヤホン端子、ＵＳＢ端子、及びＵＳＢケーブル等の各種ケーブルと接続可能な端子等）、記録媒体挿入部等を備える構成としてもよい。さらに、図８（Ａ）に示す電子書籍は、電子辞書としての機能を持たせた構成としてもよい。
【０１５０】
図８（Ｂ）は、本明細書に開示するバックライトユニットを具備する表示装置を用いたデジタルフォトフレームの一例を示している。例えば、図８（Ｂ）に示すデジタルフォトフレームは、筐体１７１１に表示領域１７１２が組み込まれている。表示領域１７１２は、各種画像を表示することが可能であり、例えば、デジタルカメラ等で撮影した画像データを表示させることで、通常の写真立てと同様に機能させることができる。
【０１５１】
なお、図８（Ｂ）に示すデジタルフォトフレームは、操作部、外部接続用端子（ＵＳＢ端子、ＵＳＢケーブル等の各種ケーブルと接続可能な端子等）、記録媒体挿入部等を備える構成とする。これらの構成は、表示領域と同一面に組み込まれていてもよいが、側面や裏面に備えるとデザイン性が向上するため好ましい。例えば、デジタルフォトフレームの記録媒体挿入部に、デジタルカメラで撮影した画像データを記憶したメモリを挿入して画像データを取り込み、取り込んだ画像データを表示領域１７１２に表示させることができる。
【０１５２】
図８（Ｃ）は、本明細書に開示するバックライトユニットを具備する表示装置を用いたテレビジョン装置の一例を示している。図８（Ｃ）に示すテレビジョン装置は、筐体１７２１に表示領域１７２２が組み込まれている。表示領域１７２２により、映像を表示することが可能である。また、ここでは、スタンド１７２３により筐体１７２１を支持した構成を示している。
【０１５３】
図８（Ｃ）に示すテレビジョン装置の操作は、筐体１７２１が備える操作スイッチや、別体のリモコン操作機により行うことができる。リモコン操作機が備える操作キーにより、チャンネルや音量の操作を行うことができ、表示領域１７２２に表示される映像を操作することができる。また、リモコン操作機に、当該リモコン操作機から出力する情報を表示する表示領域を設ける構成としてもよい。
【０１５４】
図８（Ｄ）は、本明細書に開示するバックライトユニットを具備する表示装置を用いた携帯電話機の一例を示している。図８（Ｄ）に示す携帯電話機は、筐体１７３１に組み込まれた表示領域１７３２の他、操作ボタン１７３３、操作ボタン１７３７、外部接続ポート１７３４、スピーカ１７３５、及びマイク１７３６等を備えている。
【０１５５】
図８（Ｄ）に示す携帯電話機は、表示領域１７３２がタッチパネルになっており、指等の接触により、表示領域１７３２の表示内容を操作することができる。また、電話の発信、或いはメールの作成等は、表示領域１７３２を指等で接触することにより行うことができる。
【０１５６】
本実施の形態は、他の実施の形態と自由に組み合わせて実施することが可能である。
【符号の説明】
【０１５７】
１０１    導光板
１０２    反射壁
１０３    透明層
１０３ａ    端部の透明層
１０４    反射層
１１１    光源
１２２    接着層
１３０    部材
１４１    反射ミラー
１４２    集光レンズ
１４３    光ファイバ
１５１    長軸方向
１５２    短軸方向
１６０    構造物
１６１    強度分布
１６２    強度分布
１７１    拡散シート
１７２    プリズムシート
１７３ａ    偏光板
１７３ｂ    偏光板
１７４    素子基板
１７５    スイッチング素子
１７６    表示素子
１７７    基板
１７８    眼
１７９    画素
２００    表面
２０１    透明な膜
２２０    表面
２３１    表面
２３２    表面
７０１    バックライトユニット
７０２    表示パネル
８０１    表示領域
８０１ａ    領域
８０１ｂ    領域
８０１ｃ    領域
８０２    集合
８０３    行
９００    バックライトユニット
９０１    光源部
９０２    発光面
９０３    拡散シート
９１１    光源
９１２    光源領域
９１３    光源領域
９１４    光源領域
９１５    発光ダイオード
９１６    発光ダイオード
９１７    発光ダイオード
９２１    領域
９２２    領域
９２３    領域
９３１    長軸方向
９３２    短軸方向
９４１    混色領域
１７００    筐体
１７０１    筐体
１７０２    表示領域
１７０３    表示領域
１７０４    蝶番
１７０５    電源入力端子
１７０６    操作キー
１７０７    スピーカ
１７１１    筐体
１７１２    表示領域
１７２１    筐体
１７２２    表示領域
１７２３    スタンド
１７３１    筐体
１７３２    表示領域
１７３３    操作ボタン
１７３４    外部接続ポート
１７３５    スピーカ
１７３６    マイク
１７３７    操作ボタン
４００１    基板
４００２    表示領域
４００３    信号線駆動回路
４００３ａ    信号線駆動回路
４００３ｂ    信号線駆動回路
４００４    走査線駆動回路
４００５    シール材
４００６    基板
４００８    液晶層
４０１０    トランジスタ
４０１１    トランジスタ
４０１３    液晶素子
４０１５    接続端子電極
４０１６    端子電極
４０１８    ＦＰＣ
４０１９    異方性導電膜
４０２０    絶縁層
４０２１    絶縁層
４０３０    画素電極層
４０３１    共通電極層
４０３４    遮光層
４０３５    スペーサ
【図１】
2012119311.tif 000003
【図２】
2012119311.tif 000004
【図３】
2012119311.tif 000005
【図４】
2012119311.tif 000006
【図５】
2012119311.tif 000007
【図６】
2012119311.tif 000008
【図７】
2012119311.tif 000009
【図８】
2012119311.tif 000010
【図９】
2012119311.tif 000011
【図１０】
2012119311.tif 000012
【図１１】
2012119311.tif 000013
【図１２】
2012119311.tif 000014
【図１３】
2012119311.tif 000015
【図１４】
2012119311.tif 000016
【図１５】
2012119311.tif 000017
【図１６】
2012119311.tif 000018
【図１７】
2012119311.tif 000019
【図１８】
2012119311.tif 000020
【図１９】
2012119311.tif 000021
【図２０】
2012119311.tif 000022
【図２１】
2012119311.tif 000023